(57)【要約】    【課題】  本発明は、オペレータの作業負荷を軽減すると共に時刻証明を添付するためのコストを削減することができる画像入力装置を提供する。    【解決手段】スキャンデバイス１００は、画像入力部１０２、書式判別部１０４、書式記憶部１０５及び画像送信部１０７を備え、画像入力部１０２は、原稿をスキャンして画像データを取得し、書式判別部１０４は、画像入力部１０２により取得された画像データの書式と、予め書式記憶部１０５に登録された書式とが一致しているか否かを判別し、画像入力部１０２により取得された画像データの書式と、予め書式記憶部１０５に登録された書式とが一致しているときは、時刻証明を取得し、画像送信部１０７は、画像データ及び時刻証明を文書管理サーバ１２０に送信する。【選択図】      図２
2007074161.tif 000002
【特許請求の範囲】
【請求項１】
画像データを入力する画像入力手段と、所定の書式を記憶する書式記憶手段と、前記画像入力手段により入力された画像データの書式と前記書式記憶手段に記憶されている書式とが一致するか否かを判別する書式判別手段と、前記書式判別手段の判別結果に基づいて前記画像データに当該画像データがその時刻に存在していたことを証明するための時刻証明を当該画像データに添付する時刻証明添付手段とを備えることを特徴とする画像入力装置。
【請求項２】
前記時刻証明添付手段は、前記画像入力手段により入力された画像データの書式と、前記書式記憶手段に記憶されている書式とが一致するときに、当該画像データに前記時刻証明を添付することを特徴とする請求項１記載の画像入力装置。
【請求項３】
前記書式判別手段の判別結果を表示する表示手段と、前記表示手段に表示された判別結果に基づいて前記時刻証明の添付の指示を受け付ける受付手段とを備えることを特徴とする請求項１記載の画像入力装置。
【請求項４】
画像データを入力する画像入力手段と、所定の文字列を記憶する文字列記憶手段と、前記画像入力手段により入力された画像データが、前記文字列記憶手段に記憶されている文字列を含んでいるか否かを判別する文字列判別手段と、前記文字列判別手段の判別結果に基づいて当該画像データがその時刻に存在していたことを証明するための時刻証明を当該画像データに添付する時刻証明添付手段とを備えることを特徴とする画像入力装置。
【請求項５】
前記時刻証明添付手段は、前記画像入力手段により入力された画像データが、前記文字列記憶手段に記憶されている文字列を含んでいるときに、当該画像データに前記時刻証明を添付することを特徴とする請求項４記載の画像入力装置。
【請求項６】
前記文字列判別手段の判別結果を表示する表示手段と、前記表示手段に表示された判別結果に基づいて前記時刻証明の添付の指示を受け付ける受付手段とを備えることを特徴とする請求項４記載の画像入力装置。
【請求項７】
記憶手段を備える画像入力装置の画像入力方法において、画像データを入力する画像入力ステップと、所定の書式を前記記憶手段に記憶する書式記憶ステップと、前記画像入力ステップにおいて入力された画像データの書式と前記記憶手段に記憶されている書式とが一致するか否かを判別する書式判別ステップと、前記書式判別ステップの判別結果に基づいて当該画像データがその時刻に存在していたことを証明するための時刻証明を当該画像データに添付する時刻証明添付ステップとを備えることを特徴とする画像入力方法。
【請求項８】
前記時刻証明添付ステップは、前記画像入力ステップにおいて入力された画像データの書式と、前記記憶手段に記憶されている書式とが一致するときに、当該画像データに前記時刻証明を添付することを特徴とする請求項７記載の画像入力方法。
【請求項９】
前記画像入力装置は表示手段を備え、前記書式判別ステップの判別結果を前記表示手段に表示する表示ステップと、前記表示手段に表示された判別結果に基づいて前記時刻証明の添付の指示を受け付ける受付ステップとを備えることを特徴とする請求項７記載の画像入力方法。
【請求項１０】
記憶手段を備える画像入力装置の画像入力方法において、画像データを入力する画像入力ステップと、所定の文字列を前記記憶手段に記憶する文字列記憶ステップと、前記画像入力ステップにおいて入力された画像データが、前記記憶手段に記憶されている文字列を含んでいるか否かを判別する文字列判別ステップと、前記文字列判別ステップの判別結果に基づいて当該画像データがその時刻に存在していたことを証明するための時刻証明を当該画像データに添付する時刻証明添付ステップとを備えることを特徴とする画像入力方法。
【請求項１１】
前記時刻証明添付ステップは、前記画像入力ステップにおいて入力された画像データが、前記記憶手段に記憶されている文字列を含んでいるときに、当該画像データに前記時刻証明を添付することを特徴とする請求項１０記載の画像入力方法。
【請求項１２】
前記画像入力装置は表示手段を備え、前記文字列判別ステップの判別結果を前記表示手段に表示する表示ステップと、前記表示手段に表示された判別結果に基づいて前記時刻証明の添付の指示を受け付ける受付ステップとを備えることを特徴とする請求項１０記載の画像入力方法。
【請求項１３】
記憶手段を備える画像入力装置で実行されるプログラムにおいて、画像データを入力する画像入力モジュールと、所定の書式を前記記憶手段に記憶する書式記憶モジュールと、前記画像入力モジュールにより入力された画像データの書式と前記記憶手段に記憶されている書式とが一致するか否かを判別する書式判別モジュールと、前記書式判別モジュールの判別結果に基づいて当該画像データがその時刻に存在していたことを証明するための時刻証明を当該画像データに添付する時刻証明添付モジュールとをコンピュータに実行させることを特徴とするプログラム。
【請求項１４】
記憶手段を備える画像入力装置で実行されるプログラムにおいて、画像データを入力する画像入力モジュールと、所定の文字列を前記記憶手段に記憶する文字列記憶モジュールと、前記画像入力モジュールにおいて入力された画像データが、前記記憶手段に記憶されている文字列を含んでいるか否かを判別する文字列判別モジュールと、前記文字列判別モジュールの判別結果に基づいて当該画像データがその時刻に存在していたことを証明するための時刻証明を当該画像データに添付する時刻証明添付モジュールとをコンピュータに実行させることを特徴とするプログラム。
【発明の詳細な説明】
【技術分野】
【０００１】
本発明は、画像入力装置及びその方法、並びにプログラムに関し、特に、原稿をスキャンして画像データを取得し、取得した画像データに時刻証明を添付する画像入力装置及びその方法、並びにプログラムに関する。
【背景技術】
【０００２】
従来より、画像データを保存する際に、当該画像データがその時刻に存在していたことを証明するための時刻証明を当該画像データに添付する情報管理システムが知られている（例えば、特許文献１参照）。この情報管理システムによれば、添付された時刻証明が示す時刻以降、当該画像データが改竄されていないことを証明することができる。このような情報管理システムは図５のように構成される。
【０００３】
図５において、情報管理システム２００は、文書管理サーバ２０１と、文書データベース２０２と、スキャンデバイス２０３と、時刻認証局２０４とを備える。文書データベース２０２、スキャンデバイス２０３、及び時刻認証局２０４は、夫々文書管理サーバ２０１に接続されている。
【０００４】
スキャンデバイス２０３は、原稿をスキャンして画像データを取得する。文書管理サーバ２０１は、文書管理ソフトウエアを有し、スキャンデバイス２０３から取得した画像データを文書データベース２０２に保存する。時刻認証局２０４は、時刻証明を発行する。
【０００５】
情報管理システム２００は以下のように動作する。
【０００６】
オペレータは、原稿をスキャンデバイス２０３にセットし、文書管理サーバ２０１によりスキャン開始を指示する。スキャンデバイス２０３は、原稿をスキャンして画像データを取得する。文書管理サーバ２０１は、スキャンデバイス２０３から取得した画像データを文書データベース２０２に保存する。
【０００７】
オペレータは、文書データベース２０２に保存された画像データを文書管理サーバ２０１の表示装置に表示させ、この表示させた画像データを確認して、画像データに時刻証明を添付すべきか否かを判断する。オペレータは、画像データに時刻証明を添付するときは、文書管理サーバ２０１の操作部を用いて時刻証明添付を指示する。文書管理サーバ２０１は、時刻証明を添付すべき画像データからハッシュ値を算出し、算出されたハッシュ値を時刻認証局２０４に送信する。時刻認証局２０４は、送信されたハッシュ値及び現在時刻に基づいて時刻証明を算出し、この時刻証明を文書管理サーバ２０１に送信する。
【０００８】
文書管理サーバ２０１は、画像データ及び時刻証明を関連付けて文書データベース２０２に保存する。
【特許文献１】特開２００１−２０９７１４号公報
【発明の開示】
【発明が解決しようとする課題】
【０００９】
しかしながら、上記の従来の情報管理システムでは、オペレータが画像データを１つずつ表示装置に表示させ、画像データを確認してから時刻証明添付を指示するので、オペレータの作業負荷が大きい。
【００１０】
また、上記従来の情報管理システムにおいて、オペレータが確認せずにすべての文書に時刻証明を添付すると、時刻証明を添付する必要のない画像データにも時刻証明を添付するので、時刻証明を添付するためのコストが増大する。
【００１１】
本発明の目的は、オペレータの作業負荷を軽減すると共に時刻証明を添付するためのコストを削減することができる画像入力装置及びその方法、並びにプログラムを提供することにある。
【課題を解決するための手段】
【００１２】
上述の目的を達成するために、請求項１記載の画像入力装置は、画像データを入力する画像入力手段と、所定の書式を記憶する書式記憶手段と、前記画像入力手段により入力された画像データの書式と前記書式記憶手段に記憶されている書式とが一致するか否かを判別する書式判別手段と、前記書式判別手段の判別結果に基づいて前記画像データに当該画像データがその時刻に存在していたことを証明するための時刻証明を当該画像データに添付する時刻証明添付手段とを備えることを特徴とする。
【００１３】
上述の目的を達成するために、請求項４記載の画像入力装置は、画像データを入力する画像入力手段と、所定の文字列を記憶する文字列記憶手段と、前記画像入力手段により入力された画像データが、前記文字列記憶手段に記憶されている文字列を含んでいるか否かを判別する文字列判別手段と、前記文字列判別手段の判別結果に基づいて当該画像データがその時刻に存在していたことを証明するための時刻証明を当該画像データに添付する時刻証明添付手段とを備えることを特徴とする。
【００１４】
上述の目的を達成するために、請求項７記載の画像入力方法は、記憶手段を備える画像入力装置の画像入力方法において、画像データを入力する画像入力ステップと、所定の書式を前記記憶手段に記憶する書式記憶ステップと、前記画像入力ステップにおいて入力された画像データの書式と前記記憶手段に記憶されている書式とが一致するか否かを判別する書式判別ステップと、前記書式判別ステップの判別結果に基づいて当該画像データがその時刻に存在していたことを証明するための時刻証明を当該画像データに添付する時刻証明添付ステップとを備えることを特徴とする。
【００１５】
上述の目的を達成するために、請求項１０記載の画像入力方法は、記憶手段を備える画像入力装置の画像入力方法において、画像データを入力する画像入力ステップと、所定の文字列を前記記憶手段に記憶する文字列記憶ステップと、前記画像入力ステップにおいて入力された画像データが、前記記憶手段に記憶されている文字列を含んでいるか否かを判別する文字列判別ステップと、前記文字列判別ステップの判別結果に基づいて当該画像データがその時刻に存在していたことを証明するための時刻証明を当該画像データに添付する時刻証明添付ステップとを備えることを特徴とする。
【００１６】
上述の目的を達成するために、請求項１３記載のプログラムは、記憶手段を備える画像入力装置で実行されるプログラムにおいて、画像データを入力する画像入力モジュールと、所定の書式を前記記憶手段に記憶する書式記憶モジュールと、前記画像入力モジュールにより入力された画像データの書式と前記記憶手段に記憶されている書式とが一致するか否かを判別する書式判別モジュールと、前記書式判別モジュールの判別結果に基づいて当該画像データがその時刻に存在していたことを証明するための時刻証明を当該画像データに添付する時刻証明添付モジュールとをコンピュータに実行させることを特徴とする。
【００１７】
上述の目的を達成するために、請求項１４記載のプログラムは、記憶手段を備える画像入力装置で実行されるプログラムにおいて、画像データを入力する画像入力モジュールと、所定の文字列を前記記憶手段に記憶する文字列記憶モジュールと、前記画像入力モジュールにおいて入力された画像データが、前記記憶手段に記憶されている文字列を含んでいるか否かを判別する文字列判別モジュールと、前記文字列判別モジュールの判別結果に基づいて当該画像データがその時刻に存在していたことを証明するための時刻証明を当該画像データに添付する時刻証明添付モジュールとをコンピュータに実行させることを特徴とする。
【発明の効果】
【００１８】
本発明によれば、入力された画像データの書式と記憶されている書式とが一致するか否かを判別し、その判別結果に基づいて当該画像データがその時刻に存在していたことを証明するための時刻証明を当該画像データに添付するので、オペレータの作業負荷を軽減すると共に時刻証明を添付するためのコストを削減することができる。
【００１９】
また、入力された画像データが、記憶されている文字列を含んでいるか否かを判別し、その判別結果に基づいて当該画像データがその時刻に存在していたことを証明するための時刻証明を当該画像データに添付するので、オペレータの作業負荷を軽減すると共に時刻証明を添付するためのコストを削減することができる。
【発明を実施するための最良の形態】
【００２０】
以下、本発明の実施の形態を図面を参照しながら詳述する。
【００２１】
図１は、本発明の実施の形態に係る画像入力装置を有する情報管理システムの構成を示すブロック図である。
【００２２】
図１において、情報管理システム１は、本発明の実施の形態に係る画像入力装置としてのスキャンデバイス１００と、時刻認証局１１０と、文書管理サーバ１２０と、文書データベース１３０とを備える。
【００２３】
スキャンデバイス１００は、操作部１０１、画像入力部１０２、書式登録部１０３、書式判別部１０４、書式記憶部１０５、時刻証明作成部１０６、及び画像送信部１０７を備える。
【００２４】
操作部１０１は、書式の登録やスキャン開始の指示等を行うために用いられる。画像入力部１０２は、操作部１０１によりスキャン開始の指示を受けると、原稿をスキャンして画像データを取得する。書式登録部１０３は、操作部１０１によりオペレータが入力した書式を書式記憶部１０５に登録する。
【００２５】
書式判別部１０４は、画像入力部１０２により取得された画像データの書式と、書式記憶部１０５に登録された書式とが一致しているか否かを判別する。時刻証明作成部１０６は、画像入力部１０２により取得された画像データからハッシュ値を算出し、算出されたハッシュ値を時刻認証局１１０に送信する。時刻認証局１１０は、送信されたハッシュ値及び現在時刻に基づいて、当該画像データがその時刻に存在していたことを証明するための時刻証明を算出し、この時刻証明を時刻証明作成部１０６に送信する。
【００２６】
画像送信部１０７は、画像データ及び時刻証明を文書管理サーバ１２０に送信し、文書管理サーバ１２０は、画像データ及び時刻証明を関連付けて文書データベース２０２に保存する。
【００２７】
図２は、図１におけるスキャンデバイス１００によって実行される画像入力処理の手順を示すフローチャートである。本処理において、書式記憶部１０５には、オペレータにより所定の書式が予め登録されているものとする（書式記憶手段）。
【００２８】
図２において、オペレータが原稿をスキャンデバイスにセットし、操作部１０１によりスキャン開始を指示すると、画像入力部１０２は、原稿をスキャンして画像データを取得する（ステップＳ３０１）（画像入力手段）。
【００２９】
次に、書式判別部１０４は、画像入力部１０２により取得された画像データの書式と、予め書式記憶部１０５に登録された書式とを比較し（ステップＳ３０２）、画像入力部１０２により取得された画像データの書式と、予め書式記憶部１０５に登録された書式とが一致しているか否かを判別する（ステップＳ３０３）（書式判別手段）。
【００３０】
ステップＳ３０３の判別の結果、画像入力部１０２により取得された画像データの書式と、予め書式記憶部１０５に登録された書式とが一致しているときは、時刻証明作成部１０６は、画像入力部１０２により取得された画像データからハッシュ値を算出し、算出されたハッシュ値を時刻認証局１１０に送信する（ステップＳ３０４）。
【００３１】
時刻認証局１１０は、送信されたハッシュ値及び現在時刻に基づいて時刻証明を算出し、この時刻証明を時刻証明作成部１０６に送信する。時刻証明作成部１０６は、時刻認証局１１０から時刻認証を取得する（ステップＳ３０５）。
【００３２】
書式判別部１０４は時刻証明を取得し、画像送信部１０７は、画像データ及び時刻証明を文書管理サーバ１２０に送信し、文書管理サーバ１２０は、画像データ及び時刻証明を関連付けて文書データベース２０２に保存し（ステップＳ３０６）（時刻証明添付手段）、本処理を終了する。
【００３３】
ステップＳ３０３の判別の結果、画像入力部１０２により取得された画像データの書式と、予め書式記憶部１０５に登録された書式とが一致していないときは、画像送信部１０７は、画像データのみを文書管理サーバ１２０に送信し、文書管理サーバ１２０は、画像データのみを文書データベース２０２に保存し（ステップＳ３０７）、本処理を終了する。
【００３４】
図２の処理によれば、画像入力部１０２により取得された画像データの書式と、予め書式記憶部１０５に登録された書式とが一致しているときは（ステップＳ３０３でＹＥＳ）、画像データ及び時刻証明を関連付けて文書データベース２０２に保存する（ステップＳ３０６）ので、オペレータが個々の画像データに対して時刻証明を添付するか否かを指示する必要がなく、オペレータの作業負荷を軽減することができる。
【００３５】
また、必要な文書に対してのみ時刻証明が添付されるので、時刻証明を添付するためのコストを削減することができる。
【００３６】
さらに、スキャンデバイス１００内で時刻証明を作成するので、画像データを文書データベース１２０に保存してから時刻証明を添付するのに対して、スキャンした時刻をより厳密に特定することができると共に、スキャンから時刻証明を作成するまでに改竄される可能性が少なく、よりセキュリティを高めることができる。
【００３７】
なお、書式記憶部１０５に登録される書式は１つに限られるものではなく、書式記憶部１０５に複数の書式が登録され、書式判別部１０４は画像入力部１０２により取得された画像データの書式と、予め書式記憶部１０５に登録された複数の書式のいずれかとが一致しているか否かを判別してもよい。
【００３８】
また、スキャンデバイス１００が表示パネルを備え、書式判別部１０４による判別結果に従って画像データや判別結果を表示パネルに表示し、オペレータが確認した画像データに対して時刻証明を添付してもよい。例えば、書式が一致した画像データのみを表示し、オペレータが確認ののち時刻証明を添付する。これにより、より確実に必要な文書に対してのみ時刻証明を添付することができる。
【００３９】
図３は、図１の情報管理システム１の構成の変形例を示すブロック図である。
【００４０】
図３の構成は、図１の構成と基本的に同じである。図３において、図１の構成要素と同じ構成要素には同一符号を付してその説明を省略し、図１と異なる構成要素のみ説明する。
【００４１】
スキャンデバイス１００は、操作部１０１、画像入力部１０２、文字列登録部４０３、文字列判別部４０４、文字列記憶部４０５、時刻証明作成部１０６、画像送信部１０７、及びＯＣＲ（Optical Character Reader）処理部４０８を備える。
【００４２】
文字列登録部４０３は、操作部１０１によりオペレータが入力した文字列を文字列記憶部４０５に登録する。ＯＣＲ処理部４０８は、画像入力部１０２により取得された画像データにＯＣＲ処理を行い、画像データに含まれる文字データを取得する。
【００４３】
文字列判別部４０４は、ＯＣＲ処理部４０８により取得された文字データが、文字列記憶部４０５に登録された文字列を含んでいるか否かを判別する。
【００４４】
図４は、図３におけるスキャンデバイス１００によって実行される画像入力処理の手順を示すフローチャートである。
【００４５】
図４の処理は図２の処理と基本的に同じである。図４において、図２のステップと同じステップには同一符号を付してその説明を省略し、図２と異なるステップのみ説明する。
【００４６】
図４において、ＯＣＲ処理部４０８は、画像入力部１０２により取得された画像データにＯＣＲ処理を行い、画像データに含まれる文字データを取得する（ステップＳ５０２）。
【００４７】
次に、文字列判別部４０４は、ＯＣＲ処理部４０８により取得された文字データが、文字列記憶部４０５に登録された文字列を含んでいるか否かを判別する（ステップＳ５０３）。
【００４８】
ステップＳ５０３の判別の結果、ＯＣＲ処理部４０８により取得された文字データが、文字列記憶部４０５に登録された文字列を含んでいるときは、ステップＳ３０４以降の処理を実行し、画像データ及び時刻証明を関連付けて文書データベース２０２に保存する。
【００４９】
ステップＳ５０３の判別の結果、ＯＣＲ処理部４０８により取得された文字データが、文字列記憶部４０５に登録された文字列を含んでいないときは、ステップＳ３０７の処理を実行し、画像データのみを文書データベース２０２に保存する。
【００５０】
図４の処理によれば、ＯＣＲ処理部４０８により取得された文字データが、文字列記憶部４０５に登録された文字列を含んでいるときは（ステップＳ５０３でＹＥＳ）、画像データ及び時刻証明を関連付けて文書データベース２０２に保存する（ステップＳ３０６）ので、オペレータが個々の画像データに対して時刻証明を添付するか否かを指示する必要がなく、オペレータの作業負荷を軽減することができる。
【００５１】
また、必要な文書に対してのみ時刻証明が添付されるので、時刻証明を添付するためのコストを削減することができる。
【００５２】
なお、文字列記憶部４０５に登録される文字列は１つに限られるものではなく、文字列記憶部４０５に複数の書式が登録され、文字列判別部４０４はＯＣＲ処理部４０８により取得された文字データが、文字列記憶部４０５に登録された複数の文字列のいずれかを含んでいるか否かを判別してもよい。
【００５３】
また、スキャンデバイス１００が表示パネルを備え、文字列判別部４０４による判別結果に従って画像データや判別結果を表示パネルに表示し、オペレータが確認した画像データに対して時刻証明を添付してもよい。例えば、文字列を含む画像データのみを表示し、オペレータが確認ののち時刻証明を添付する。これにより、より確実に必要な文書に対してのみ時刻証明を添付することができる。
【００５４】
また、本発明の目的は、実施の形態の機能を実現するソフトウェアのプログラムコードを記録した記憶媒体を、システム又は装置に供給し、そのシステム又は装置のコンピュータ（又はＣＰＵやＭＰＵ等）が記憶媒体に格納されたプログラムコードを読み出して実行することによっても達成される。
【００５５】
この場合、記憶媒体から読み出されたプログラムコード自体が前述した実施の形態の機能を実現することになり、そのプログラムコード及び該プログラムコードを記憶した記憶媒体は本発明を構成することになる。
【００５６】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。又は、プログラムコードをネットワークを介してダウンロードしてもよい。
【００５７】
また、コンピュータが読み出したプログラムコードを実行することにより、上記実施の形態の機能が実現されるだけでなく、そのプログラムコードの指示に基づき、コンピュータ上で稼動しているＯＳ（オペレーティングシステム）等が実際の処理の一部又は全部を行い、その処理によって前述した実施の形態の機能が実現される場合も含まれる。
【００５８】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部又は全部を行い、その処理によって前述した実施の形態の機能が実現される場合も含まれる。
【図面の簡単な説明】
【００５９】
【図１】本発明の実施の形態に係る画像入力装置を有する情報管理システムの構成を示すブロック図である。
【図２】図１におけるスキャンデバイスによって実行される画像入力処理の手順を示すフローチャートである。
【図３】図１の情報管理システムの構成の変形例を示すブロック図である。
【図４】図３におけるスキャンデバイスによって実行される画像入力処理の手順を示すフローチャートである。
【図５】従来の情報管理システムの構成を示すブロック図である。
【符号の説明】
【００６０】
１００  スキャンデバイス
１０１  操作部
１０２  画像入力部
１０３  書式登録部
１０４  書式判別部
１０５  書式記憶部
１０６  時刻証明作成部
１０７  画像送信部
【図１】
2007074161.tif 000003
【図２】
2007074161.tif 000004
【図３】
2007074161.tif 000005
【図４】
2007074161.tif 000006
【図５】
2007074161.tif 000007